(57)【要約】【課題】  より合理的に構成された伝動装置を提供すること。【解決手段】  被駆動部２００に動力を伝達する伝動装置において、被駆動部を駆動可能に装着した第１透明板３１０と、第１透明板と向かい合うとともに被駆動部と係合した第２透明板３２０と、第１透明板との間に第２透明板を介在する第３透明板３３０と、第２透明板を第１透明板に対して駆動させる駆動手段６００とを備え、被駆動部が第２透明板の駆動に連動して駆動するものであり、第１透明板と第３透明板との間を片面粘着テープ１０等にて閉鎖して、第２透明板を包囲した構成の伝動装置である。【選択図】図４
2006126029.tif 000002
【特許請求の範囲】
【請求項１】
被駆動部に動力を伝達する伝動装置において、
前記被駆動部を駆動可能に装着した第１透明板と、
前記第１透明板と向かい合うとともに前記被駆動部と係合した第２透明板と、
前記第１透明板との間に前記第２透明板を介在する第３透明板と、
前記第２透明板を前記第１透明板に対して駆動させる駆動手段とを備え、
前記被駆動部が前記第２透明板の駆動に連動して駆動するものであり、
前記第１透明板と前記第３透明板との間を閉鎖して、前記第２透明板を包囲したことを特徴とする伝動装置。
【請求項２】
前記第１透明板と前記第３透明板との間には、ゴミを補足する粘着手段を設けたことを特徴とする請求項１記載の伝動装置。
【請求項３】
前記被駆動部は、時計の指針であることを特徴とする請求項１又は２記載の伝動装置。
【発明の詳細な説明】
【技術分野】
【０００１】
本発明は、装飾性に優れた伝動装置に関し、特に、ゴミによって発生する装置特有の問題に対処してなるものである。
【背景技術】
【０００２】
装飾に利用される伝動装置は、見た目の面白さが重要とされる。例えば特許文献１には、透明板に指針を設けた時計であって、その指針を駆動する機構が見た目からは解らないように構成されたものが提案されている。つまり、時計を見る者にとっては、なぜ指針が動くのかと興味をそそる不思議なものである。特許文献１に記載された時計の場合、指針を駆動する手段としては、透明板と組み合わせたラチェット機構が採用されている。すなわち、透明板を介して駆動を伝達することにより、被駆動部の駆動方法を謎にするという基本構造となっている。
【特許文献１】実開昭４９−１８５６３号公報
【発明の開示】
【発明が解決しようとする課題】
【０００３】
さて、この種の伝動装置については、その趣向を凝らすとともに、被駆動部の駆動効率の向上、設計の自由度の向上等が重要な課題とされている。また、装置特有の問題として、駆動を伝達する透明板にゴミが付着すると、被駆動部を駆動する仕組みが容易に判明してしまうという問題がある。このため、透明板に対するゴミの付着を回避するための工夫も必要とされている。本発明は、かかる事情に鑑みてなされたものであり、その目的は、より合理的に構成された伝動装置を提供することである。
【課題を解決するための手段】
【０００４】
本願第１請求項に記載した発明は、被駆動部に動力を伝達する伝動装置において、前記被駆動部を駆動可能に装着した第１透明板と、前記第１透明板と向かい合うとともに前記被駆動部と係合した第２透明板と、前記第１透明板との間に前記第２透明板を介在する第３透明板と、前記第２透明板を前記第１透明板に対して駆動させる駆動手段とを備え、前記被駆動部が前記第２透明板の駆動に連動して駆動するものであり、前記第１透明板と前記第３透明板との間を閉鎖して、前記第２透明板を包囲した構成の伝動装置である。
【０００５】
本願第２請求項に記載した発明は、請求項１において、前記第１透明板と前記第３透明板との間には、ゴミを補足する粘着手段を設けた構成の伝動装置である。
【０００６】
本願第３請求項に記載した発明は、請求項１又は２において、前記被駆動部は、時計の指針である構成の伝動装置である。
【発明の効果】
【０００７】
本発明によれば、より合理的に構成された伝動装置を得ることができる。特に、駆動を伝達する透明板に対するゴミの付着を防止することができる。かかる透明板にゴミが付着すると、被駆動部を駆動する仕組みが容易に判明してしまうところ、本発明によれば、そのような事態は未然に防止される。
【発明を実施するための最良の形態】
【０００８】
以下に、本発明の実施例を図面に基づいて説明する。図１乃至図７に示す本例の伝動装置１は、時針２１０及び分針２２０をそれぞれ所定の速度で回転する時計の指針機構部２００に動力を伝達するものである。そして、指針機構部２００を配置した時刻表示部１００は透明となっており、伝動装置１の手前側からは奥側、奥側からは手前側が透けて見える構成となっている。指針機構部２００には歯車等が連結されていないことが一目で解る。つまり、伝動装置１を見る者にとっては、なぜ指針が動くのかと興味をそそる不思議なものとなる。
【０００９】
この伝動装置１は、被駆動部たる時計の指針機構部２００と、指針機構部２００を駆動可能に装着した第１透明板３１０と、第１透明板３１０と向かい合うとともに指針機構部２００と係合した第２透明板３２０と、第１透明板３１０との間に第２透明板３２０を介在する第３透明板３３０と、第２透明板３２０との間に第１透明板３１０を介在する第４透明板３４０と、第２透明板３２０の縁部の移動領域を覆う枠体４００と、第２透明板３２０をそれぞれ枢支する複数のローラ５００と、第２透明板３２０を第１透明板３１０に対して駆動させる駆動手段６００と、駆動手段６００を収納するケース体７００とを備えている。各透明板３１０，３２０，３３０，３４０は、ガラス製又は樹脂製の透明又は半透明の板材である。第1透明板３１０と第３透明板３３０は、適宜間隔でそれらの間に設けられた第１スペーサ３０１にて互いに支持されている。また、第１透明板３１０と第２透明板３２０の間、及び第２透明板３２０と第３透明板３３０の間には、適宜間隔で第２スペーサ３０２が設けられている。第２スペーサ３０２は、第１透明板３１０、第２透明板３２０、及び第３透明板３３０の間隔を規制する部材である。枠体４００は、第２透明板３２０の移動領域を覆うとともに、第１透明板３１０、第３透明板３３０、及び第４透明板３４０の縁部を支持するものである。時刻表示部１００は、枠体４００で囲まれた部位であり、各透明板３１０，３２０，３３０，３４０が重ねられた状態となっている。第１透明板３１０、第３透明板３３０、及び第４透明板３４０のいずれかには、時刻の指標部１０１が設けられている。指針機構部２００は、第２透明板３２０の公転に連動して駆動する。
【００１０】
本例の場合、第１透明板３１０、第２透明板３２０、及び第３透明板３３０は、ケース体７００の内部に延出する延出部３１１，３２１，３３１をそれぞれ備えている。
【００１１】
ケース体７００は、上部に枠体４００を搭載するものであり、ケース体７００の内部と枠体４００の内部とを連通する連通部７１０を備えている、第１透明板３１０、第２透明板３２０、及び第３透明板３３０の延出部３１１，３２１，３３１は、連通部７１０を貫通して枠体７００の内部に延出している。
【００１２】
駆動手段６００は、モータを内蔵した時計用のムーブメント６１０と、ムーブメント６１０に連結された輪列機構６２０と、第３透明板３３０の延出部３３１に回転可能に装着されるとともに第２透明板３２０の延出部３２１を枢支する回転駆動部６３０と、輪列機構６２０の要所に噛合された針合せカナ６４０とを備え、ムーブメント６１０が出力する動力（つまりトルク）が輪列機構６２０を介して回転駆動部６３０に伝わり、この回転駆動部６３０が第２透明板３２０の延出部３２１を操作して第２透明板３２０を上下方向に公転する構成となっている。第２透明板３２０は１時間に１回転する。針合せカナ６４０は、これを手動で回転すると回転駆動部６３０がその回転に応じて回転するものであり、具体的には、時針２１０及び分針２２０の位置を任意に調整する場合に用いられる。
【００１３】
第２透明体３２０を枢支する各ローラ５００は、第１透明板３１０及び第３透明板３３０の間にそれぞれ装着されている。図例では、枠体４００にて覆われる複数のローラ５００と、ケース体７００の内部に位置する１つのローラ５００とを設けている。各ローラ５００、第１スペーサ３０１、及び第２スペーサ３０２は、枠体４００及びケース体７００に隠れるので、外部から見えることはない。
【００１４】
尚、回転駆動部６３０における回転軸６３１と第２透明板３２０の枢支軸６３２との間隔は、ローラ５００における回転軸５０１と第２透明板３２０の枢支軸５０２との間隔と等しく設定されている。回転駆動部６３０の枢支軸６３２とローラ５００の枢支軸５０２とは、同一周期且つ同一半径にて回転する（図５中矢印Ａ、Ｂ方向）。第２透明板３２０は、回転駆動部６３０の枢支軸６３２及び各ローラ５００の枢支軸５２０が回転するとともに第１透明板３１０に対して公転する（図５中矢印Ｃ方向）。
【００１５】
指針機構部２００は、第１透明板３１０に対して回転可能に設けられるとともに第２透明板３２０を枢支する回転入力部２３０と、分針２２０を支持するとともに回転入力部２３０と同期回転する分針パイプ２４０と、指針パイプの回転を減速する日ノ裏車２５０と、時針２１０を支持するとともに日ノ裏車２５０と噛合するギア２６１を備えた時針パイプ２６０とを備えている。回転入力部２３０における回転軸２３１と第２透明板３２０の枢支軸２３２との間隔は、回転駆動部６３０における回転軸６３１と第２透明板３２０の枢支軸６３２との間隔、並びにローラ５００における回転軸５０１と第２透明板３２０の枢支軸５０２との間隔と等しく設定されている。回転入力部２３０の枢支軸２３２は、回転駆動部６３０の枢支軸６３２、並びにローラ５００の枢支軸５０２と同一周期且つ同一半径にて回転する。回転駆動部６３０、ローラ５００、及び回転入力部２３０の配置関係は、第２透明板３２０の公転がきしむことがないように設定している。時針は１２時間に１回転し、分針は１時間に１回転する。
【００１６】
本例の場合、被駆動部たる指針機構部２００と、第１透明板３１０と、第２透明板３２０と、第３透明板３３０と、第１スペーサ３０１と、第２スペーサ３０２と、ローラ５００と、回転駆動部６３０とを一体に組付けて１つのユニットとし、更に、第１透明板３１０と第３透明板３３０との間を片面粘着テープ１０にて閉鎖して、第２透明板３２０を包囲した構成となっている（図７参照）。
【００１７】
図８に示すように、片面粘着テープ１０は、第１透明板３１０の端面と第３透明板３３０の端面に跨るように張り付けられている。片面粘着テープ１０は、第１透明板３１０の端面、及び第３透明板３３０の端面の全周に設けられている。
【００１８】
このような構成によると、外部から第１透明板３１０と第３透明板３３０の間にゴミが侵入する心配はない。つまり、第２透明板３２０に対するゴミの付着をを防止することができる。また、第１透明板３１０と第３透明板３３０の間における片面粘着テープ１０の粘着面は、ゴミを補足する粘着手段となっている。粘着手段によれば、第２透明板３２０を包囲した際に、第１透明板３１０と第３透明板３３０の間に多少のゴミが残存していても、そのゴミを補足することが可能である。従って、第２透明板３２０に対するゴミの付着を一層確実に防止することができる。
【００１９】
尚、第２透明板３２０を効率よく包囲する方法は、次の通りである。先ず、図９（ａ）に示すように、互いに向き合う開口部２０が残るように、第１透明板３１０と第３透明板３３０との間を部分的に閉鎖する。そして、一方の開口部２０から他方の開口部２０へ通風を施すことにより、ゴミを吹き飛ばして除去する。その後、図９（ｂ）に示すように、開口部２０を閉鎖して第２透明板３２０を完全に包囲する。
【００２０】
また、第１透明板３１０と第３透明板３３０との間を閉鎖する方法としては、片面粘着テープ１０を用いる他にも、図１０に示すように、プレート体１１をねじ止めする方法がある。プレート体１１、第１透明板３１０、及び第３透明板３３０には、雄ねじ部品１３を螺合する雌ねじ部、及び雄ねじ部品１３を挿通する挿通部をそれぞれ設ける。また、プレート体１１の要所には両面粘着テープ１２を張り付けて、これを粘着手段とする。
【００２１】
以上のように本例は、装飾性に優れ且つ合理的に構成された伝動装置１であり、時計の指針２１０，２２０を駆動する装置として好適に利用することができる。
特に、第２透明板３２０にゴミが付着すると、被駆動部たる指針機構部２００を駆動する仕組みが容易に判明してしまうところ、本発明によれば、そのような事態は未然に防止される。
【００２２】
尚、本例は、時針２１０及び分針２２０を駆動するものであるが、第２透明板３２０を１分間で１回転させる等して、更に秒針を駆動するように構成することも可能である。また、本例の構成は、標準時刻電波等の時刻情報を受信するとともに指針による表示時刻をその時刻情報に基づいて自動修正する自動修正時計に応用することも可能である。自動修正時計の場合は、時刻情報を受信する受信手段や、ムーブメント６１０を制御する所定のプログラムを格納したマイコン等を設ける。
【００２３】
更に、本例における各部の構成は、特許請求の範囲に記載した技術的範囲において適宜に設計変更が可能であり、図例したものに限定されないことは勿論である。例えば枠体４００及び各透明板３１０，３２０，３３０，３４０の形状等については、例えば図１１に示すように、様々な形態が考えられる。
【００２４】
また、被駆動部としては、指針機構部２００の他、装飾用の飾り等を駆動するように構成することも可能である。更に、第１透明板３１０に複数の被駆動部を設けるとともに各被駆動部をそれぞれ第２透明板３２０に係合し、複数の被駆動部を駆動するように構成することも可能である。或いは、被駆動部を設けた第１透明板３１０及び第２透明板３２０を複数対重ねて配置することも可能である。更には、第１透明板３１０の前後にそれぞれ第２透明板３２０を設け、１つ又は複数の被駆動部を複数の第２透明板３２０にて駆動するように構成することも可能である。複数の第２透明板３２０を設ける場合は、各第２透明板３２０の公転速度や公転の大きさが互いに異なるように設定することにより、より複雑な被駆動部の駆動形態を得ることが可能となる。
【００２５】
次に、本発明の他の実施例を図１２及び図１３に基づいて説明する。本例の第２透明板３２０は、その中心を回転軸とする円形のものである。第１透明板３１０と第３透明板３３０との間には、輪列機構６２０の先端の歯車を設け、この歯車が第２透明板に設けられた環状の歯部６５０と噛合している。第２透明板３２０は、第１透明板３１０及び第３透明板３３０に支持された複数のプーリ６６０に回転可能に保持されており、ムーブメント６１０が出力する動力が輪列機構６２０を介して環状の歯部６５０に伝えられることにより、回転する。指針機構部２００は、第２透明板３２０に係合されており、第２透明板３２０が回転することによって駆動する。尚、その他の基本構成は前述した実施例と同様である。
【００２６】
このように、第２透明板３２０を回転して被駆動部を駆動するように構成してもよい。尚、第２透明板３２０は、公転や回転に限らず、往復移動或いは揺動するように構成することも可能である。
【産業上の利用可能性】
【００２７】
本発明の伝動装置は、時計の指針や装飾用の飾り等を駆動する装置として好適に利用することが可能である。
【図面の簡単な説明】
【００２８】
【図１】本発明の実施例に係り、伝動装置を示す斜視図である。
【図２】本発明の実施例に係り、伝動装置を示す透視正面図である。
【図３】本発明の実施例に係り、伝動装置を示す透視上面図である。
【図４】本発明の実施例に係り、伝動装置を示す透視側面図である。
【図５】本発明の実施例に係り、図２の要部拡大図であって、駆動部を示す透視正面図である。
【図６】本発明の実施例に係り、図４の要部拡大図であって、被駆動部周辺を示す透視側面図である。
【図７】本発明の実施例に係り、第１透明板、第２透明板、及び第３透明板を一体に組付けてなるユニットを示す透視正面図である。
【図８】本発明の実施例に係り、第１透明板及び第２透明板の閉鎖を示す説明図であって、（ａ）は両面粘着テープを張り付ける前、（ｂ）は両面粘着テープを張り付けた後を示す。
【図９】本発明の実施例に係り、第２透明板３２０の包囲方法を示す説明図であって、（ａ）は部分的に包囲した状態、（ｂ）は完全に包囲した状態を示す。
【図１０】本発明の実施例に係り、第１透明板及び第２透明板の閉鎖を示す説明図であって、（ａ）はプレート体をねじ止めする前、（ｂ）プレート体をねじ止めした後を示す。
【図１１】本発明の実施例に係り、伝動装置を示す斜視図である。
【図１２】本発明の実施例に係り、第１透明板、第２透明板、及び第３透明板を一体に組付けてなるユニットと、駆動手段とを示す透視正面図である。
【図１３】本発明の実施例に係り、第１透明板、第２透明板、及び第３透明板を一体に組付けてなるユニットと、駆動手段とを示す透視側面図である。
【符号の説明】
【００２９】
１    伝動装置
１０    片面粘着テープ
１１    プレート体
１２    両面粘着テープ
１３    雄ねじ部品
１００    時刻表示部
１０１    指標部
２００    指針機構部
２１０    時針
２２０    分針
２３０    回転入力部
２３１    回転軸
２３２    枢支軸
２４０    分針パイプ
２５０    日ノ裏車
２６０    時針パイプ
２６１    ギア
３０１    第１スペーサ
３０２    第２スペーサ
３１０    第１透明板
３１１    延出部
３２０    第２透明板
３２１    延出部
３３０    第３透明板
３３１    延出部
３４０    第４透明板
４００    枠体
５００    ローラ
５０１    回転軸
５０２    枢支軸
６００    駆動手段
６１０    ムーブメント
６２０    輪列機構
６３０    回転駆動部
６３１    回転軸
６３２    枢支軸
６４０    針合せカナ
７００    ケース体
７１０    連通部
【図１】
2006126029.tif 000003
【図２】
2006126029.tif 000004
【図３】
2006126029.tif 000005
【図４】
2006126029.tif 000006
【図５】
2006126029.tif 000007
【図６】
2006126029.tif 000008
【図７】
2006126029.tif 000009
【図８】
2006126029.tif 000010
【図９】
2006126029.tif 000011
【図１０】
2006126029.tif 000012
【図１１】
2006126029.tif 000013
【図１２】
2006126029.tif 000014
【図１３】
2006126029.tif 000015